(57)【要約】【課題】床上に立って天井直付け用のシーリングライトを天井吊り下げペンダントライトとして取付けできるようにした構造簡単、小型軽量、製作容易で安価に量産できる器具を提供する。【解決手段】上端に引掛けプラグを形成するもの１０を固着できるようにすると共に、下端に引掛けシーリング２０（１）を固着できるようにした筒状の長柄把手３０と、把手３０の内部に、引掛けプラグを形成するもの１０から引掛けシーリング２０（１）までを配線できるようにした電気コード（図示しない）とからなり、床上に立って把手３０の下端を手で握って上げ、天井に設置された配線器具に把手３０の上端を引掛けて取付ができるようにした、シーリングライトをペンダントライトとして使用するための器具。【選択図】        図１−１−１
2015118904.tif 000002
【特許請求の範囲】
【請求項１】
長柄の筒状把手と、前記把手の上端に引掛けプラグを形成すると共に、前記把手の内部に取りはずし可能に内接する内接管とを結合する上部一体成形物と、前記把手の下端に、前記把手の内部に取りはずし可能に内接する内接管を形成すると共に、引掛けシーリングを取りはずし可能に固着できるようにする蓋状物を結合する下部一体成形物と、前記把手の内部に、前記引掛けプラグを形成するものから前記引掛けシーリングまでを配線できるようにする電気コードとを備えていることを特徴としたシーリングライトをペンダントライトに使用するための器具。
【請求項２】
前記上部一体成形物が、前記引掛けプラグを形成するものと、前記引掛けプラグを形成するものの外底壁のコード通し穴の周囲に結合して、前記把手に取りはずし可能に内接するように形成する内接管とからなるものを特徴とした請求項１記載のシーリングライトをペンダントライトに使用するための器具。
【請求項３】
引掛けプラグを形成するものが、１対の短い側壁と１対の長い側壁とコード通し穴を設けた底壁とからなる角形合成樹脂箱内に、それぞれ対向する前記２つの側壁の角に沿って引掛け爪を立設すると共に、コード引出線と電気接続する圧着端子を止着できるようにする止めねじの螺孔と、後記台座と固着するための貫孔とを設けた１対の金属製爪板と、前記各爪板をのせて前記貫孔に螺入する固着ねじにより取りはずし可能に固着することができるようにした１対の台座であって、前記各台座が対向して前記底壁から立設したものと、前記引出線と電気接続する前記圧着端子を前記コード通し穴から案内するため、対向して前記底壁から立設した１対の第１柱と、前記コード引出線と電気接続する前記圧着端子を前記止めねじに止着するため、対向して前記底壁から立設した１対の第２柱とを備えていることを特徴とした請求項１又は２記載のシーリングライトをペンダントライトに使用するための器具。
【請求項４】
引掛けプラグを形成するものが、側壁と底壁により形成されたわん状合成樹脂箱内に、それぞれ引掛け爪を立てると共に、コード引出線と電気接続する圧着端子を止着できるようにする止めねじの螺孔と、後記台座と固着するための貫孔とを設けた１対の爪板と、前記各爪板をのせて前記爪板の前記貫孔に螺入した固着ねじにより、前記各爪板を取りはずし可能に固着することができるようにする１対の台座であって、各台座が対向して前記底壁から立設したものと、前記コード引出線と電気接続する前記圧着端子を前記コード通し穴から案内するため、対向して前記底壁から立設した１対の第１柱と、前記コード引出線と電気接続する前記圧着端子を前記止めねじに止着するため、対向して前記底壁から立設した１対の第２柱と、前記各引掛け爪の立ち上りを補うため対向して立設した１対の第３柱とを備えていることを特徴とした請求項１又は２記載のシーリングライトをペンダントライトに使用するための器具。
【請求項５】
前記下部一体成形物が、前記把手の下部に内嵌して前記把手に取りはずし可能に内接できるように形成する内接管と、前記内接管の下端に結合し、前記引掛けシーリングの１対のねじ通し孔に挿入される１対のねじ又はボルトにより前記引掛けシーリングを取りはずし可能に固着できるように形成すると共に、前記引掛けシーリングの開口面をコード通し穴及び前記ねじ通し孔を除いて閉口できるように形成する蓋状物とからなるものを特徴とした請求項１記載の、シーリングライトをペンダントライトに使用するための器具。
【請求項６】
前記下部一体成形物の前記蓋状物が、蓋部と肉盛り部からなり、前記蓋部は、前記引掛けシーリングの開口面を前記コード通し穴及び前記１対のねじ通し孔を除いて閉口できるように設けられ、前記肉盛り部は、前記蓋部の上に盛り上げて前記内接管と結合すると共に、前記蓋部を介して前記ねじ又はボルトがナットと螺着できるように、前記肉盛り部の一部を切り欠いた１対の切欠きを形成して、前記引掛けシーリングを取りはずし可能に固着できるようにすることを特徴とした請求項５記載のシーリングライトをペンダントライトに使用するための器具。
【請求項７】
長柄の把手と、前記把手の上端に結合する引掛けプラグを形成するものと、前記把手の下端に、引掛けシーリングの１対のねじ通し孔に挿入されるねじ又はボルトナットにより前記引掛けシーリングを取りはずし可能に固着できるようにすると共に、前記引掛けシーリングの開口面をコード通し穴及び前記ねじ又は前記ボルトを挿入するねじ通し孔を除いて閉口できるように形成する蓋状物とからなる一体成形物を備えていることを特徴としたシーリングライトをペンダントライトに使用するための器具。
【発明の詳細な説明】
【技術分野】
【０００１】
本発明は、天井直付けの照明器具として使用されているシーリングライトを天井吊り下げペンダントライトに使用するための器具に関する。
【背景技術】
【０００２】
ＬＥＤ（Light Emitting Diode）を使用した天井直付けのシーリングライトは、機能の向上が著しく、軽量化されて、かなりの便利さを消費者に与えている。しかし、天井直付け方式のため、部屋対応の定格光束だけでは、使用様態（例えば読書、製図等）によって使用者は明るさが不足する場合があり、また、高齢者、女性、身体障害者等では、シーリングライトの天井への取付け、交換等はかなりの負担が伴った。
そこで、本発明者は、誰でも天井に吊す作業が安全にできて、シーリングライトをペンダントライトとして迅速に使用でき、室内の明るさと節電を向上させることができるようにした、シーリングライトをペンダントライトに使用するための器具を開発した。
【先行技術文献】
【特許文献】
【０００３】
【特許文献１】実用新案登録第３０６７０６１号公報
【発明の概要】
【発明が解決しようとする課題】
【０００４】
本発明は、天井直付けシーリングライトを天井吊り下げペンダントライトとして使用して明るい照明と節電ができるようにした、シーリングライトをペンダントライトに使用するための器具を提供するものである。
また、本発明は、天井直付けシーリングライトを、天井吊り下げペンダントライトとして迅速容易に取り付け、交換等ができるようにした、シーリングライトをペンダントライトに使用するための器具を提供するものである。
さらに、本発明は、構造簡単で極めて安価に製作できる、シーリングライトをペンダントライトに使用するための器具を提供するものである。
【課題を解決するための手段】
【０００５】
本発明のシーリングライトをペンダントライトに使用するための器具は、上記課題を達成するため、図示するように、請求項１の発明は、長柄の筒状把手と、前記把手の上端に引掛けプラグを形成すると共に、前記把手の内部に取りはずし可能に内接する内接管とを結合する上部一体成形物と、前記把手の下端に、前記把手の内部に取りはずし可能に内接する内接管を形成すると共に、引掛けシーリングを取りはずし可能に固着できるようにする蓋状物を結合する下部一体成形物と、前記把手の内部に、前記引掛けプラグを形成するものから前記引掛けシーリングまでを配線できるようにする電気コードとを備えているものである。
また、本発明のシーリングライトをペンダントライトに使用するための器具は、上記課題を達成するため、図示するように、請求項２の発明は、請求項１の発明において、前記上部一体成形物が、前記引掛けプラグを形成するものと、前記引掛けプラグを形成するものの外底壁のコード通し穴の周囲に結合して、前記把手に取りはずし可能に内接するように形成する内接管とからなるものである。
また、本発明のシーリングライトをペンダントライトに使用するための器具は、上記課題を達成するため、図示するように、請求項３の発明は、請求項１又は２の発明において、引掛けプラグを形成するものが、１対の短い側壁と１対の長い側壁とコード通し穴を設けた底壁とからなる角形合成樹脂箱内に、それぞれ対向する前記２つの側壁の角に沿って引掛け爪を立設すると共に、コード引出線と電気接続する圧着端子を止着できるようにする止めねじの螺孔と、後記台座と固着するための貫孔とを設けた１対の金属製爪板と、前記各爪板をのせて前記貫孔に螺入する固着ねじにより取りはずし可能に固着することができるようにした１対の台座であって、前記各台座が対向して前記底壁から立設したものと、前記引出線と電気接続する前記圧着端子を前記コード通し穴から案内するため、対向して前記底壁から立設した１対の第１柱と、前記コード引出線と電気接続する前記圧着端子を前記止めねじに止着するため、対向して前記底壁から立設した１対の第２柱とを備えているものである。
また、本発明のシーリングライトをペンダントライトに使用するための器具は、上記課題を達成するため、図示するように、請求項４の発明は、請求項１又は２の発明において、引掛けプラグを形成するものが、側壁と底壁により形成されたわん状合成樹脂箱内に、それぞれ引掛け爪を立てると共に、コード引出線と電気接続する圧着端子を止着できるようにする止めねじの螺孔と、後記台座と固着するための貫孔とを設けた１対の爪板と、前記各爪板をのせて前記爪板の前記貫孔に螺入した固着ねじにより、前記各爪板を取りはずし可能に固着することができるようにする１対の台座であって、各台座が対向して前記底壁から立設したものと、前記コード引出線と電気接続する前記圧着端子を前記コード通し穴から案内するため、対向して前記底壁から立設した１対の第１柱と、前記コード引出線と電気接続する前記圧着端子を前記止めねじに止着するため、対向して前記底壁から立設した１対の第２柱と、前記各引掛け爪の立ち上りを補うため対向して立設した１対の第３柱とを備えているものである。
また、本発明のシーリングライトをペンダントライトに使用するための器具は、上記課題を達成するため、図示するように、請求項５の発明は、請求項１又は２の発明において、前記下部一体成形物が、前記把手の下部に内嵌して前記把手に取りはずし可能に内接できるように形成する内接管と、前記内接管の下端に結合し、前記引掛けシーリングの１対のねじ通し孔に挿入される１対のねじ又はボルトにより前記引掛けシーリングを取りはずし可能に固着できるように形成すると共に、前記引掛けシーリングの開口面をコード通し穴及び前記ねじ通し孔を除いて閉口できるように形成する蓋状物とからなるものである。
また、本発明のシーリングライトをペンダントライトに使用するための器具は、上記課題を達成するため、図示するように、請求項６の発明は、請求項５の発明において、前記下部一体成形物の前記蓋状物が、蓋部と肉盛り部からなり、前記蓋部は、前記引掛けシーリングの開口面を前記コード通し穴及び前記１対のねじ通し孔を除いて閉口できるように設けられ、前記肉盛り部は、前記蓋部の上に盛り上げて前記内接管と結合すると共に、前記蓋部を介して前記ねじ又はボルトがナットと螺着できるように、前記肉盛り部の一部を切り欠いた１対の切欠きを形成して、前記引掛けシーリングを取りはずし可能に固着できるようにするものである。
さらに、本発明のシーリングライトをペンダントライトに使用するための器具は、上記課題を達成するため、図示するように、請求項７の発明は、長柄の把手と、前記把手の上端に結合する引掛けプラグを形成するものと、前記把手の下端に、引掛けシーリングの１対のねじ通し孔に挿入されるねじ又はボルトナットにより前記引掛けシーリングを取りはずし可能に固着できるようにすると共に、前記引掛けシーリングの開口面をコード通し穴及び前記ねじ又は前記ボルトを挿入するねじ通し孔を除いて閉口できるように形成する蓋状物とからなる一体成形物を備えているものである。
本発明において、引掛けプラグは、別名が引掛けシーリングキャップと呼ばれるもので、角形、丸形がある。
引掛けシーリングは、１対の引掛け穴部に、引掛けプラグの１対の引掛け爪を引掛けて電気接続するもので、角形、丸形がある。
長柄の把手には、合成樹脂製、金属製等が使用される。
【発明の効果】
【０００６】
本発明は、上端に引掛けプラグを形成するものを取りつけ、下端に引掛けシーリングを取りつけることができるようにした長柄の把手であるので、本発明器具の把手下端を手で握れば、天井に設置されている引掛けシーリング又は引掛けローゼットに、容易に、本発明品の把手上端の引掛けプラグを形成するものを電気接続でき、次いで、本発明品の把手下端の引掛けシーリングに、シーリングライトのアダプタの１対の引掛け爪を電気接続したのち、シーリングライトの本体板をアダプタに嵌めこんで連結し、アダプタの配線を本体板の接続部に電気接続したのち、セードを本体板に嵌着すれば、天井直付け用のシーリングライトを天井吊り下げ用ペンダントライトとして迅速に使用することができる。本発明は、定格光束の天井直付けシーリングライトを天井吊り下げペンダントライトとして照明できるので、明るく照明できると共に節電でき、また、従来のペンダントライトに比べてスマートな外観が加わる。また、ペンダントライトとして通常の天井吊り下げコードを使用した従来のペンダントライトは、コードの長さ調節をクリップ式に調節するものは、簡単であるが、コードが露出して外観が悪く、また、コード長さの伸縮機構を内在しているものは、便利であるが、機構複雑で高価な欠点があり、この点、本発明は必要な把手長さの小型軽量な本発明器具に取り替えるだけで済む。また、従来のペンダントライトに比べて防塵性、防虫性が大きい。さらに、本発明は、製作簡単で安価につき、今後、シーリングライト形のペンダントライトの改良発展に寄与できる。
【図面の簡単な説明】
【０００７】
【図１−１−１】本発明の実施例を正面図的に示した全体概略説明図である。
【図１−１−２】図１−１−１を平面図的にみた概略説明図である。
【図１−１−３】図１−１−２から引掛け爪板を取りはずしたときの概略説明図である。
【図１−１−４】図１−１−２の引掛け爪板を斜視図的にみた概略説明図である。
【図１−１−５】図１−１−１の下部一体成形物をＸ−Ｘ線からみた底面図である。
【図１−１−６】図１−１−１を底面図的にみた概略説明図である。
【図１−１−７】図１−１−１の使用状態図である。
【図１−２−１】本発明の別の実施例を正面図的にみた概略説明図である。
【図１−２−２】図１−２−１の下部を左側面図的にみた概略説明図である。
【図１−２−３】図１−２−１をＢ−Ｂ切断線から平面図的にみた概略説明図である。
【図１−２−４】図１−２−１の下部一体成形物をＹ−Ｙ線からみた底面図である。
【図１−２−５】図１−２−１を底面図的にみた概略説明図である。
【図１−３−１】本発明のさらに別の実施例を正面図的にみた概略説明図である。
【図１−３−２】図１−３−１をＢ２−Ｂ２切断線から平面図的にみた概略説明図である。
【図１−３−３】図１−３−１の下部一体成形物をＹ２−Ｙ２線からみた底面図である。
【図１−３−４】図１−３−１を底面図的にみた概略説明図である。
【図２−１−１】本発明の別の実施例を正面図的に示した全体概略説明図である。
【図２−１−２】図２−１−１を平面図的にみた概略説明図である。
【図２−１−３】図２−１−２から引掛け爪板を取りはずしたときの概略説明図である。
【図２−１−４】図２−１−２の引掛け爪板を斜視図的にみた概略説明図である。
【図２−１−５】図２−１−３をＡ−Ａ線からみた断面図である。
【図２−１−６】図２−１−１の下部一体成形物をＺ−Ｚ線からみた底面図である。
【図２−１−７】図２−１−１を底面図的にみた概略説明図である。
【図３−１−１】本発明の別の実施例を正面図的に示した全体概略説明図である。
【図３−１−２】図３−１−１の下部一体成形物をＵ−Ｕ線からみた底面図である。
【図３−１−３】図３−１−１を底面図的にみた概略説明図である。
【図４−１−１】本発明の別の実施例を正面図的に示した全体概略説明図である。
【図５−１−１】本発明の別の実施例を正面図的に示した全体概略説明図である。
【図６−１−１】本発明の別の実施例を正面図的に示した全体概略説明図である。
【図７−１−１】本発明の別の実施例を正面図的に示した全体概略説明図である。
【図８−１−１】本発明の別の実施例を正面図的に示した全体概略説明図である。
【図９−１−１】本発明の別の実施例を正面図的に示した全体概略説明図である。
【発明を実施するための形態】
【０００８】
本発明の実施形態が実施例１、実施例２、実施例３、実施例４、実施例５、実施例６、実施例７、実施例８及び実施例９に記載される。
【実施例１】
【０００９】
本発明のシーリングライトをペンダントライトに使用するための器具（以下、単に本発明器具という。）の実施例１が図１−１−１、図１−１−２、図１−１−３、図１−１−４、図１−１−５、図１−１−６及び図１−１−７に示されている。
各図では、公知の配線の図示が省略されている。
本発明実施例の図１−１−１乃至図１−１−７の本発明器具は、長柄の筒状把手３０と、前記把手３０の上端に、引掛けプラグを形成するもの１０と結合して、前記把手３０の内部に取りはずし可能に内接する内接管５１とを一体的に形成した上部一体成形物５０と、前記把手３０の下端に、前記把手３０の内部に取りはずし可能に内接する内接管６２（１）を形成すると共に、前記内接管６２下端に結合して引掛けシーリング２０（１）を取りはずし可能に固着する蓋状物を一体的に形成した下部一体成形物６０（１）と、前記把手３０の内部に、前記引掛けプラグを形成するもの１０から前記引掛けシーリング２０（１）までを配線できるようにした電気コード（図示しない）とを備えるものである。前記上部一体成形物５０は、前記引掛けプラグを形成するもの１０と、前記引掛けプラグを形成するもの１０の外底壁面１２のコード通し穴１３の周囲に結合して、前記把手３０からねじ５１１を螺入して、取りはずし可能に固着して内接する内接管５１とから形成される。前記引掛けプラグを形成したもの１０は、１対の短い側壁１１１と１対の長い側壁１１２とコード通し穴１３を設けた底壁１２とからなる角形合成樹脂箱内に、それぞれ底壁１２に、１対の台座１０５、１対の第１柱１０７１、１対の第２柱１０７２を立設している。
１対の台座１０５は、各短い側壁１１１に接して対向して設けられ、各台座１０５には、螺孔１０３１と及び有底孔１０３２が設けられ、上面にそれぞれ金属製爪板１０２がのせられて、前記螺孔１０３１に対応する貫孔１０３、前記有底孔１０３２に対応する螺孔１０９が設けられ、前記貫孔１０３にはねじ１０４が螺入されて爪板１０２を台座１０５に取りはずし可能に固着し、螺孔１０９には、止めねじ１０８が螺入されて後記圧着端子を取りはずし可能に螺着する。
１対の第１柱１０７１は、コード通し穴１３から引き出された１対のコード引出線（図示しない）に圧着した圧着端子（図示しない）を爪板１０２の止めねじ１０８に案内するため設けられ、第２柱１０７２は前記圧着端子を止めねじ１０８にねじ止めするために設けられる。
引掛けシーリング２０（１）を把手３０の下部に取りはずし可能に固着できるように一体的に形成する下部成形物６０（１）は、把手３０の下部に内嵌してねじ６２１（１）のねじ入れにより把手３０と取りはずし可能に固着できるようにする内接管６２（１）と、内接管６２（１）に結合する蓋状物６１（１）とからなる。蓋状物６１（１）は、引掛けシーリング２０（１）に設けられている１対のねじ通し孔２２（１）に挿入した１対のねじ６１１（１）を、蓋状物６１（１）の螺孔６１２（１）にねじ入れすることにより前記引掛けシーリング２０（１）を取りはずし可能に固着すると共に、引掛けシーリング２０（１）の開口部２１（１）をコード通し穴６１０（１）及びねじ６１１（１）の挿入孔２２（１）を除いて蓋閉めできるようにするものである。
引掛けシーリング２０（１）を把手３０の下部に取りはずし可能に固着できるように一体的に形成する下部一体成形物の別例６０（２）が、図１−２−１、図１−２−２、図１−２−３、図１−２−４、及び図１−２−５に示されている。すなわち、把手３０の下部に内嵌してねじ６２１（２）のねじ入れにより把手３０と取りはずし可能に固着する内接管６２（２）と、内接管６２（２）に結合する蓋状物６１（２）とからなる。蓋状物６１（２）は、蓋部６１０１（２）と、蓋部６１０１（２）上に、部分的に肉盛りされる肉盛り部６１０２（２）とを設けている。蓋部６１０１（２）は、引掛けシーリング２０（１）の開口面２１（１）をコード通し穴６１０（２）及び１対のねじ通し孔２２（１）を除いて閉口できるように設けられると共に、肉盛り部６１０２（２）の一部を切り欠いた切り欠き６１０３（２）にナット６１１（２）をねじ６１１（２）に螺合できるように形成して引掛けシーリング２０（１）を取りはずし可能に固着している。
引掛けシーリング２０（１）を把手３０の下部に取りはずし可能に固着できるように一体的に形成する下部一体成形物のさらに別例６０（３）が、図１−３−１、図１−３−２、図１−３−３及び図１−３−４に示されている。すなわち、把手３０の下部に内嵌してねじ６２１（３）のねじ入れにより把手３０と取りはずし可能に固着する内接管６２（３）と、内接管６２（３）に結合する蓋状物６１（３）とからなる。蓋状物６１（３）は、蓋部６１０１（３）と、蓋部６１０１（３）上に、部分的に肉盛りされた肉盛り部６１０２（３）とを設けている。蓋部６１０１（３）は、引掛けシーリング２０（１）の開口面２１（１）をコード通し穴６１０（３）及び１対のねじ通し孔２２（１）を除いて閉口できるように設け、肉盛り部６１０２（３）はその一部を切り欠いた切り欠き穴６１０３（３）を形成して、これに入れたねじ６１１（３）を蓋部６１０１（３）を介して螺合できるように、ナット６１１（３）を引掛けシーリングの１対のねじ通し穴２２（１）に入れて引掛けシーリング２０（１）を取りはずし可能に固着する。
従って、図１−１−７に例示するように、本発明器具の把手３０下端を手で握って、上端の引掛けプラグ１０を天井８０に設けられた引掛けシーリング又は引掛けローゼット７０に引掛けて電気接続したのち、本発明器具の下端の引掛けシーリング２０（１）に、シーリングライト９０のアダプタの引掛け爪（図示しない）を引掛けて電気接続したのち、前記アダプタにシーリングライト９０の本体板９１を嵌着し、セード９２を嵌着すれば、シーリングライト９０をペンダントライトとして迅速容易に使用できる。
【実施例２】
【００１０】
本発明器具の実施例２が図２−１−１、図２−１−２、図２−１−３、図２−１−４、図２−１−５、図２−１−６及び図２−１−７に示されている。
各図では、公知の配線の図示が省略されている。
本発明実施例の引掛けプラグを形成するもの１０（２）を把手３０の上部に一体的に形成する上部一体成形物５０（２）は、引掛けプラグを形成するもの１０（２）と、その外底壁１２（２）のコード通し穴１３（２）の周囲に結合すると共に、把手３０の上部に内嵌してねじ５１１（２）を把手３０からねじ入れすることにより把手３０と取りはずし可能に固着する内接管５１（２）とからなるものである。
引掛けプラグを形成するもの１０（２）は、図２−１−１乃至図２−１−５に示すように、わん状合成樹脂箱の側壁１１（２）と底壁１２（２）により形成されている。前記引掛けプラグを形成するもの１０（２）は、底壁１２（２）には、図２−１−２乃至図２−１−５に示すように、図上左側及び右側に対向するように、それぞれ、螺孔１０３１（２）と有底孔１０３２（２）とを設けた１対の台座１０５（２）が立設されると共に、後述するように、第１柱１０７１（２）、第２柱１０７２（２）、第３柱１０７３（２）及び立壁１５（２）が立設されている。
各台座１０５（２）は、引掛け爪１０１（２）を立てた金属製爪板１０２（２）を、爪板１０２（２）の貫孔１０３（２）に挿入したねじ１０４（２）の螺入により取りはずし可能に固着している。また、後記圧着端子の止めねじ１０８（２）を爪板１０２（２）の螺孔１０９（２）にねじ入れし直下の有底孔１０３２（２）に突出できるようにしている。
また、底壁１２（２）に立設した第１柱１０７１（２）は、コード通し穴１３（２）から引き出された１対のコード引出線（図示しない）に圧着した圧着端子（図示しない）を立壁１５（２）を介して爪板１０２（２）の止めねじ１０８（２）に案内するために設けられ、第２柱１０７２（２）は、前記圧着端子を、止めねじ１０８（２）にねじ止めするために設けられ、第３柱１０７３（２）は、立てた引掛け爪１０１（２）の立設を補うものとして設けられる。
引掛けシーリング２０（２）を把手３０の下部に取りはずし可能に固着できるように一体的に形成する下部一体成形物６０（４）は、把手３０の下部に内嵌してねじ６２１（４）のねじ入れにより把手３０と取りはずし可能に固着する内接管６２（４）と蓋状物６１（４）とからなる。蓋状物６１（４）は、内接管６２（４）に結合すると共に、引掛けシーリング２０（２）に設けられている１対のねじ通し孔２２（２）に挿入した１対のねじ６１１（４）を螺孔６１２（４）に挿入して螺着することにより前記引掛けシーリング２０（２）を取りはずし可能に固着すると共に、引掛けシーリング２０（２）の開口部２１（２）をコード通し穴６１０（４）及びねじ６１１（４）の孔６１２（４）を除いて蓋閉めできるようにするものである。
本発明器具の使用法は、実施例１と同様であるので、詳細説明は省略する。
【実施例３】
【００１１】
本発明器具の実施例３が図３−１−１、図３−１−２及び図３−１−３に示されている。
各図では、公知の配線の図示が省略されている。
本発明実施例の引掛けプラグ１０を把手３０の上部に一体的に形成する上部一体成形物５０は、実施例１の上部一体成形物５０と同一であるので、詳細説明は省略する。
引掛けシーリング２０（２）を把手３０の下部に取りはずし可能に固着できるように一体的に形成する下部成形物６０（５）は、把手３０の下部に内嵌してねじ６２１（５）のねじ入れにより把手３０と取りはずし可能に固着する内接管６２（５）と、内接管６２（５）に結合する蓋状物６１（５）とからなる。蓋状物６１（５）は、引掛けシーリング２０（２）に設けられている１対のねじ通し孔２２（２）に挿入する１対のねじ６１１（５）を蓋状物の螺孔６１２（５）に挿入してナット６１１（５）により螺着することにより前記引掛けシーリング２０（２）を取りはずし可能に固着して、引掛けシーリング２０（２）の開口部２１（２）をコード通し穴６１０（５）及びねじ６１１（５）の孔６１２（５）を除いて蓋閉めできるようにするものである。
本発明器具の使用法は、実施例１及び実施例２と同様であるので、詳細説明は省略する。
【実施例４】
【００１２】
本発明器具の実施例４が図４−１−１に示されている。
実施例４の本発明器具は、一体成形物１のものを示すもので、以下、前記一体成形物１について述べる。
本発明器具の図４−１−１の実施例のものは、硬質筒状の把手３０Ｂと、前記把手３０Ｂの上端に結合する引掛けプラグを形成するもの１０と、前記把手３０Ｂの下端に、結合する蓋状物６１（１）とからなる一体成形物１である。一体成形物１の引掛けプラグを形成するもの１０は、実施例１の引掛けプラグを形成するもの１０と同一であるので、詳細説明は省略する。蓋状物６１（１）は、実施例１の蓋状物６１（１）と同一であるので、詳細説明は省略する。
【実施例５】
【００１３】
本発明器具の図５−１−１の実施例のものは、硬質筒状の把手３０Ｂと、前記把手３０Ｂの上端に結合する引掛けプラグを形成するもの１０と、前記把手３０Ｂの下端に、結合する蓋状物６１（４）とからなる一体成形物２である。一体成形物２の引掛けプラグを形成するもの１０は、実施例１の引掛けプラグを形成するもの１０と同一であるので、詳細説明は省略する。蓋状物６１（４）は、実施例２の蓋状物６１（４）と同一であるので、詳細説明は省略する。
【実施例６】
【００１４】
本発明器具の図６−１−１の実施例のものは、硬質筒状の把手３０Ｂと、前記把手３０Ｂの上端に結合する引掛けプラグを形成するもの１０と、前記把手３０Ｂの下端に、結合する蓋状物６１（５）とからなる一体成形物３である。一体成形物３の引掛けプラグを形成するもの１０は、実施例１の引掛けプラグを形成するもの１０と同一であるので、詳細説明は省略する。蓋状物６１（５）は、実施例３の蓋状物６１（５）と同一であるので、詳細説明は省略する。
【実施例７】
【００１５】
本発明器具の図７−１−１の実施例のものは、硬質筒状の把手３０Ｂと、前記把手３０Ｂの上端に結合する引掛けプラグを形成するもの１０（２）と、前記把手３０Ｂの下端に、結合する蓋状物６１（４）とからなる一体成形物４である。一体成形物４の引掛けプラグを形成するもの１０（２）は、実施例２の引掛けプラグを形成するもの１０（２）と同一であるので、詳細説明は省略する。蓋状物６１（４）は、実施例２の蓋状物６１（４）と同一であるので、詳細説明は省略する。
【実施例８】
【００１６】
本発明器具の図８−１−１の実施例のものは、硬質筒状の把手３０Ｂと、前記把手３０Ｂの上端に結合する引掛けプラグを形成するもの１０（２）と、前記把手３０Ｂの下端に、結合する蓋状物６１（５）とからなる一体成形物５である。一体成形物５の引掛けプラグを形成するもの１０（２）は、実施例２の引掛けプラグを形成するもの１０（２）と同一であるので、詳細説明は省略する。蓋状物６１（５）は、実施例３の蓋状物６１（５）と同一であるので、詳細説明は省略する。
【実施例９】
【００１７】
本発明器具の図９−１−１の実施例のものは、硬質筒状の把手３０Ｂと、前記把手３０Ｂの上端に結合する引掛けプラグを形成するもの１０（２）と、前記把手３０Ｂの下端に、結合する蓋状物６１（１）とからなる一体成形物６である。一体成形物６の引掛けプラグを形成するもの１０（２）は、実施例２の引掛けプラグを形成するもの１０（２）と同一であるので、詳細説明は省略する。蓋状物６１（１）は、実施例１の蓋状物６１（１）と同一であるので、詳細説明は省略する。
【産業上の利用可能性】
【００１８】
本発明器具は、構造簡単、小型軽量、製作容易で安価に量産できる。
【符号の説明】
【００１９】
１０、１０（２）            引掛けプラグを形成するもの
１１１                      短い側壁
１１２                      長い側壁
１２、１２（２）            底壁
１３、１３（２）            コード通し穴
１０１、１０１（２）        引掛け爪
１０２、１０２（２）        爪板
１０３、１０３（２）        爪板の貫孔
１０９、１０９（２）        爪板の螺孔
１０３１、１０３１（２）    台座の螺孔
１０３２、１０３２（２）    台座の有底孔
１０５、１０５（２）        台座
１０７１、１０７１（２）    第１柱
１０７２、１０７２（２）    第２柱
１０７３（２）              第３柱
２０（１）、２０（２）      引掛けシーリング
２１（１）、２１（２）      引掛けシーリングの開口部
２２（１）、２２（２）      引掛けシーリングのねじ通し孔
３０、３０Ｂ                把手
５０、５０（２）            上部一体成形物
６０（１）、６０（２）、６０（３）、６０（４）、６０（５）  下部一体成形物
１、２、３、４、５、６      一体成形物
６１（１）、６１（２）、６１（３）、６１（４）、６１（５）  蓋状物
６２（１）、６２（２）、６２（３）、６２（４）、６２（５）  内接管
６１０１（２）、６１０１（３）、６１０１（４）              蓋部
６１０２（２）、６１０２（３）              肉盛り部
６１０３（２）、６１０３（３）              切欠き
【図１−１−１】
2015118904.tif 000003
【図１−１−２】
2015118904.tif 000004
【図１−１−３】
2015118904.tif 000005
【図１−１−４】
2015118904.tif 000006
【図１−１−５】
2015118904.tif 000007
【図１−１−６】
2015118904.tif 000008
【図１−１−７】
2015118904.tif 000009
【図１−２−１】
2015118904.tif 000010
【図１−２−２】
2015118904.tif 000011
【図１−２−３】
2015118904.tif 000012
【図１−２−４】
2015118904.tif 000013
【図１−２−５】
2015118904.tif 000014
【図１−３−１】
2015118904.tif 000015
【図１−３−２】
2015118904.tif 000016
【図１−３−３】
2015118904.tif 000017
【図１−３−４】
2015118904.tif 000018
【図２−１−１】
2015118904.tif 000019
【図２−１−２】
2015118904.tif 000020
【図２−１−３】
2015118904.tif 000021
【図２−１−４】
2015118904.tif 000022
【図２−１−５】
2015118904.tif 000023
【図２−１−６】
2015118904.tif 000024
【図２−１−７】
2015118904.tif 000025
【図３−１−１】
2015118904.tif 000026
【図３−１−２】
2015118904.tif 000027
【図３−１−３】
2015118904.tif 000028
【図４−１−１】
2015118904.tif 000029
【図５−１−１】
2015118904.tif 000030
【図６−１−１】
2015118904.tif 000031
【図７−１−１】
2015118904.tif 000032
【図８−１−１】
2015118904.tif 000033
【図９−１−１】
2015118904.tif 000034
【手続補正書】
【提出日】平成26年8月22日(2014.8.22)
【手続補正１】
【補正対象書類名】明細書
【補正対象項目名】全文
【補正方法】変更
【補正の内容】
【発明の詳細な説明】
【技術分野】
【０００１】
本発明は、天井直付け用の照明器具として使用されているシーリングライトを天井吊り下げペンダントライトに使用するための器具に関する。
【背景技術】
【０００２】
ＬＥＤ（Light Emitting Diode）を使用した天井直付けのシーリングライトは、機能の向上が著しく、軽量化されて、かなりの便利さを消費者に与えている。しかし、天井直付け方式のため、部屋対応の定格光束だけでは、使用様態（例えば読書、製図等）によって使用者は明るさが不足する場合があり、また、高齢者、女性、身体障害者等では、シーリングライトの天井への取付け、交換等はかなりの負担が伴った。
そこで、本発明者は、誰でも天井に吊す作業が安全にできて、シーリングライトをペンダントライトとして迅速に使用でき、室内の明るさと節電を向上させることができるようにした、シーリングライトをペンダントライトに使用するための器具を開発した。
【先行技術文献】
【特許文献】
【０００３】
【特許文献１】実用新案登録第３０６７０６１号公報
【発明の概要】
【発明が解決しようとする課題】
【０００４】
本発明は、天井直付け用のシーリングライトを天井吊り下げペンダントライトとして使用して明るい照明と節電ができるようにした、シーリングライトをペンダントライトに使用するための器具を提供するものである。
また、本発明は、把手下端を手で握って上げて、天井に設置されている配線器具に、迅速容易に天井直付け用のシーリングライトを天井吊り下げペンダントライトとして取り付け、交換等ができるようにした、シーリングライトをペンダントライトに使用するための器具を提供するものである。
さらに、本発明は、構造簡単で極めて安価に製作できる、シーリングライトをペンダントライトに使用するための器具を提供するものである。
【課題を解決するための手段】
【０００５】
本発明のシーリングライトをペンダントライトに使用するための器具は、上記課題を達成するため、図示するように、請求項１の発明は、引掛けプラグを形成するものと、前記引掛けプラグを形成するものの底壁のコード通し穴の外周面に結合した内接管とからなる上部一体成形物と、前記内接管と同一の内接管を結合した蓋状物であって、コード通し穴と引掛けシーリングの１対のねじ通し孔に連通できるようにしたねじ孔を設けたものからなる下部一体成形物と、天井直付け用シーリングライトを天井吊り下げペンダントライトとして使用するに必要な長さの筒状把手であって、前記上部一体成形物の内接管及び前記下部一体成形物の内接管にそれぞれ外嵌してねじ止めにより固着できるようにしたものと、前記下部一体成形物の蓋状物にねじ止めされて固着した前記引掛けシーリングと、前記引掛けプラグを形成したものから前記引掛けシーリングまでを電気接続できるようにしたコードとからなり、前記把手下端を手で握って上げ、天井に設置された配線器具に、前記上部一体成形物の引掛け爪を引掛け、前記引掛けシーリングの引掛け穴に前記天井直付け用シーリングライトを引掛けて使用するものである。
また、本発明のシーリングライトをペンダントライトに使用するための器具は、上記課題を達成するため、図示するように、請求項２の発明は、引掛けプラグを形成するものと、前記引掛けプラグを形成するものの底壁のコード通し穴の外周面に、上端を結合した筒状把手であって、天井直付け用シーリングライトを天井吊り下げペンダントライトとして使用するに必要な長さのものと、前記把手の下端に結合した蓋状物であって、コード通し穴と引掛けシーリングの１対のねじ通し孔に連通できるようにしたねじ孔を設けたものとの一体成形物と、前記一体成形物の蓋状物にねじ止めされて固着した前記引掛けシーリングと、前記引掛けプラグを形成したものから前記引掛けシーリングまでを電気接続できるようにしたコードとからなり、前記把手下端を手で握って上げ、天井に設置された配線器具に、前記一体成形物上部の引掛け爪を引掛け、前記引掛けシーリングの引掛け穴に前記天井直付け用シーリングライトを引掛けて使用するものである。
また、本発明のシーリングライトをペンダントライトに使用するための器具は、上記課題を達成するため、図示するように、請求項３の発明は、請求項１又は２の発明において、引掛けプラグを形成するものが、１対の短い側壁と１対の長い側壁とコード通し穴を設けた底壁とからなる角形合成樹脂箱内に、それぞれ対向する前記２つの側壁の角に沿って１対の引掛け爪を立設すると共に、コード引出線を止着できるようにする止めねじの螺孔と、後記台座と固着するための貫孔とを設けた１対の金属製爪板と、前記各爪板をのせて前記各爪板の貫孔に螺入する固着ねじにより前記各爪板を固着することができるようにした１対の台座であって、前記各台座が対向して前記底壁から立設したものと、前記コード引出線を前記コード通し穴から案内するため、対向して前記底壁から立設した１対の第１柱と、前記コード引出線を前記止めねじに止着するため、対向して前記底壁から立設した１対の第２柱とを備えているものである。
また、本発明のシーリングライトをペンダントライトに使用するための器具は、上記課題を達成するため、図示するように、請求項４の発明は、請求項１又は２の発明において、引掛けプラグを形成するものが、側壁と底壁により形成されたわん状箱内に、１対の引掛け爪を立てると共に、コード引出線を止着できるようにする止めねじの螺孔と、後記台座と固着するための貫孔とを設けた１対の金属製爪板と、前記各爪板をのせて前記各爪板の前記貫孔に螺入した固着ねじにより、前記各爪板を固着することができるようにした１対の台座であって、前記各台座が対向して前記底壁から立設したものと、前記コード引出線を前記コード通し穴から案内するため、対向して前記底壁から立設した１対の第１柱と、前記コード引出線を前記止めねじに止着するため、対向して前記底壁から立設した１対の第２柱と、前記各引掛け爪の立ち上りを補うため対向して立設した１対の第３柱とを備えているものである。
さらに、本発明のシーリングライトをペンダントライトに使用するための器具は、上記課題を達成するため、図示するように、請求項５の発明は、請求項１の発明において、前記下部一体成形物の蓋状物が、蓋部と肉盛り部からなり、前記蓋部は、前記引掛けシーリングの開口面を前記コード通し穴及び前記１対のねじ通し孔を除いて閉口できるように設けられ、前記肉盛り部は、前記蓋部の上に盛り上げて前記内接管と結合すると共に、前記蓋部を介してねじ又はボルトがナットと螺着できるように、前記肉盛り部の一部を切り欠いた１対の切欠きを形成して、前記引掛けシーリングを固着できるようにするものである。
本発明において、引掛けプラグは、別名が引掛けシーリングキャップと呼ばれるもので、角形、丸形がある。
引掛けシーリングは、１対の引掛け穴部に、引掛けプラグの１対の引掛け爪を引掛けて電気接続するもので、角形、丸形がある。
長柄の把手には、合成樹脂製、金属製等が使用される。
【発明の効果】
【０００６】
本発明は、上端に引掛けプラグを形成するものを取りつけ、下端に引掛けシーリングを取りつけることができるようにした長柄の把手があるので、本発明器具の把手下端を手で握って上げれば、天井に設置されている引掛けシーリング又は引掛けローゼットに、容易に、本発明品の把手上端の引掛けプラグを形成するものを電気接続でき、次いで、本発明品の把手下端の引掛けシーリングに、シーリングライトのアダプタの１対の引掛け爪を電気接続したのち、シーリングライトの本体板をアダプタに嵌めこんで連結し、アダプタの配線を本体板の接続部に電気接続したのち、セードを本体板に嵌着すれば、天井直付け用のシーリングライトを天井吊り下げペンダントライトとして迅速に使用することができる。本発明は、定格光束の天井直付け用のシーリングライトを天井吊り下げペンダントライトとして照明できるので、明るく照明できると共に節電でき、また、従来のペンダントライトに比べてスマートな外観が加わる。また、従来のペンダントライトに比べて防塵性、防虫性が大きい。さらに、本発明は、製作簡単で安価につき、今後、シーリングライト形のペンダントライトの改良発展に寄与できる。
【図面の簡単な説明】
【０００７】
【図１−１−１】本発明の実施例を正面図的に示した全体概略説明図である。
【図１−１−２】図１−１−１を平面図的にみた概略説明図である。
【図１−１−３】図１−１−２から引掛け爪板を取りはずしたときの概略説明図である。
【図１−１−４】図１−１−２の引掛け爪板を斜視図的にみた概略説明図である。
【図１−１−５】図１−１−１の下部一体成形物をＸ−Ｘ線からみた底面図である。
【図１−１−６】図１−１−１を底面図的にみた概略説明図である。
【図１−１−７】図１−１−１の使用状態図である。
【図１−２−１】本発明の別の実施例を正面図的にみた概略説明図である。
【図１−２−２】図１−２−１の下部を左側面図的にみた概略説明図である。
【図１−２−３】図１−２−１をＢ−Ｂ切断線から平面図的にみた概略説明図である。
【図１−２−４】図１−２−１の下部一体成形物をＹ−Ｙ線からみた底面図である。
【図１−２−５】図１−２−１を底面図的にみた概略説明図である。
【図１−３−１】本発明のさらに別の実施例を正面図的にみた概略説明図である。
【図１−３−２】図１−３−１をＢ２−Ｂ２切断線から平面図的にみた概略説明図である。
【図１−３−３】図１−３−１の下部一体成形物をＹ２−Ｙ２線からみた底面図である。
【図１−３−４】図１−３−１を底面図的にみた概略説明図である。
【図２−１−１】本発明の別の実施例を正面図的に示した全体概略説明図である。
【図２−１−２】図２−１−１を平面図的にみた概略説明図である。
【図２−１−３】図２−１−２から引掛け爪板を取りはずしたときの概略説明図である。
【図２−１−４】図２−１−２の引掛け爪板を斜視図的にみた概略説明図である。
【図２−１−５】図２−１−３をＡ−Ａ線からみた断面図である。
【図２−１−６】図２−１−１の下部一体成形物をＺ−Ｚ線からみた底面図である。
【図２−１−７】図２−１−１を底面図的にみた概略説明図である。
【図３−１−１】本発明の別の実施例を正面図的に示した全体概略説明図である。
【図３−１−２】図３−１−１の下部一体成形物をＵ−Ｕ線からみた底面図である。
【図３−１−３】図３−１−１を底面図的にみた概略説明図である。
【図４−１−１】本発明の別の実施例を正面図的に示した全体概略説明図である。
【図５−１−１】本発明の別の実施例を正面図的に示した全体概略説明図である。
【図６−１−１】本発明の別の実施例を正面図的に示した全体概略説明図である。
【図７−１−１】本発明の別の実施例を正面図的に示した全体概略説明図である。
【図８−１−１】本発明の別の実施例を正面図的に示した全体概略説明図である。
【図９−１−１】本発明の別の実施例を正面図的に示した全体概略説明図である。
【発明を実施するための形態】
【０００８】
本発明の実施形態が実施例１、実施例２、実施例３、実施例４、実施例５、実施例６、実施例７、実施例８及び実施例９に記載される。
【実施例１】
【０００９】
本発明のシーリングライトをペンダントライトに使用するための器具（以下、単に本発明器具という。）の実施例１が図１−１−１、図１−１−２、図１−１−３、図１−１−４、図１−１−５、図１−１−６及び図１−１−７に示されている。
各図では、公知の配線の図示が省略されている。
本発明実施例の図１−１−１乃至図１−１−７の本発明器具は、長柄の筒状把手３０と、把手３０の上端に、引掛けプラグを形成するもの１０と結合して、把手３０の内面に取りはずし可能に内接する内接管５１とを一体的に形成した上部一体成形物５０と、把手３０の下端に、把手３０の内面に取りはずし可能に内接する内接管６２（１）を形成すると共に、内接管６２（１）下端に結合して引掛けシーリング２０（１）を取りはずし可能に固着する蓋状物を一体的に形成した下部一体成形物６０（１）と、把手３０の内部に、引掛けプラグを形成するもの１０から引掛けシーリング２０（１）までを配線できるようにした電気コード（図示しない）とを備えるものである。上部一体成形物５０は、引掛けプラグを形成するもの１０と、引掛けプラグを形成するもの１０の外底壁面１２のコード通し穴１３の周囲に結合して、把手３０からねじ５１１を螺入して、取りはずし可能に固着して内接する内接管５１とから形成される。引掛けプラグを形成したもの１０は、１対の短い側壁１１１と１対の長い側壁１１２とコード通し穴１３を設けた底壁１２とからなる角形合成樹脂箱内に、それぞれ底壁１２に、１対の台座１０５、１対の第１柱１０７１、１対の第２柱１０７２を立設している。
１対の台座１０５は、各短い側壁１１１に接して対向して設けられ、各台座１０５には、螺孔１０３１及び有底孔１０３２が設けられ、上面にそれぞれ金属製爪板１０２がのせられて、螺孔１０３１に対応する貫孔１０３、有底孔１０３２に対応する螺孔１０９が設けられ、貫孔１０３にはねじ１０４が螺入されて各爪板１０２を台座１０５に取りはずし可能に固着し、螺孔１０９には、止めねじ１０８が螺入されてコード引出線（図示しない）に圧着した圧着端子（図示しない）を取りはずし可能に螺着する。
各第１柱１０７１は、コード通し穴１３から引き出された前記１対のコード引出線に圧着した圧着端子を各爪板１０２の止めねじ１０８に案内するため設けられ、各第２柱１０７２は前記圧着端子を止めねじ１０８にねじ止めするために設けられる。
引掛けシーリング２０（１）を把手３０の下部に取りはずし可能に固着できるように一体的に形成する下部成形物６０（１）は、把手３０の下部に内嵌してねじ６２１（１）のねじ入れにより把手３０と取りはずし可能に固着できるようにする内接管６２（１）と、内接管６２（１）に結合する蓋状物６１（１）とからなる。蓋状物６１（１）は、引掛けシーリング２０（１）に設けられている１対のねじ通し孔２２（１）に挿入した１対のねじ６１１（１）を、蓋状物６１（１）の螺孔６１２（１）にねじ入れすることにより引掛けシーリング２０（１）を取りはずし可能に固着すると共に、引掛けシーリング２０（１）の開口部２１（１）をコード通し穴６１０（１）及びねじ６１１（１）の挿入孔２２（１）を除いて蓋閉めできるようにするものである。
引掛けシーリング２０（１）を把手３０の下部に取りはずし可能に固着できるように一体的に形成する下部一体成形物の別例６０（２）が、図１−２−１、図１−２−２、図１−２−３、図１−２−４、及び図１−２−５に示されている。すなわち、把手３０の下部に内嵌してねじ６２１（２）のねじ入れにより把手３０と取りはずし可能に固着する内接管６２（２）と、内接管６２（２）に結合する蓋状物６１（２）とからなる。蓋状物６１（２）は、蓋部６１０１（２）と、蓋部６１０１（２）上に、部分的に肉盛りされる肉盛り部６１０２（２）を設けている。蓋部６１０１（２）は、引掛けシーリング２０（１）の開口面２１（１）をコード通し穴６１０（２）及び１対のねじ通し孔２２（１）を除いて閉口できるように設けられると共に、肉盛り部６１０２（２）の一部を切り欠いた切り欠き６１０３（２）にナット６１１（２）をねじ６１１（２）に螺合できるように形成して引掛けシーリング２０（１）を取りはずし可能に固着している。
引掛けシーリング２０（１）を把手３０の下部に取りはずし可能に固着できるように一体的に形成する下部一体成形物のさらに別例６０（３）が、図１−３−１、図１−３−２、図１−３−３及び図１−３−４に示されている。すなわち、把手３０の下部に内嵌してねじ６２１（３）のねじ入れにより把手３０と取りはずし可能に固着する内接管６２（３）と、内接管６２（３）に結合する蓋状物６１（３）とからなる。蓋状物６１（３）は、蓋部６１０１（３）と、蓋部６１０１（３）上に、部分的に肉盛りされた肉盛り部６１０２（３）を設けている。蓋部６１０１（３）は、引掛けシーリング２０（１）の開口面２１（１）をコード通し穴６１０（３）及び１対のねじ通し孔２２（１）を除いて閉口できるように設け、肉盛り部６１０２（３）は、その一部を切り欠いた切り欠き穴６１０３（３）を形成して、これに入れたねじ６１１（３）を蓋部６１０１（３）を介して螺合できるように、ナット６１１（３）を引掛けシーリングの１対のねじ通し穴２２（１）に入れて引掛けシーリング２０（１）を取りはずし可能に固着する。
従って、図１−１−７に例示するように、本発明器具の把手３０下端を手で握って上げ、上端の引掛けプラグ１０を天井８０に設けられた引掛けシーリング又は引掛けローゼット７０に引掛けて電気接続したのち、本発明器具の下端の引掛けシーリング２０（１）の１対の引掛け穴２０１（１）に、シーリングライト９０のアダプタの引掛け爪（図示しない）を引掛けて電気接続したのち、前記アダプタにシーリングライト９０の本体板９１を嵌着し、セード９２を嵌着すれば、シーリングライト９０をペンダントライトとして迅速容易に使用できる。
【実施例２】
【００１０】
本発明器具の実施例２が図２−１−１、図２−１−２、図２−１−３、図２−１−４、図２−１−５、図２−１−６及び図２−１−７に示されている。
各図では、公知の配線の図示が省略されている。
本発明実施例の引掛けプラグを形成するもの１０（２）を把手３０の上部に一体的に形成する上部一体成形物５０（２）は、引掛けプラグを形成するもの１０（２）と、その外底壁１２（２）のコード通し穴１３（２）の周囲に結合すると共に、把手３０の上部に内嵌してねじ５１１（２）を把手３０からねじ入れすることにより把手３０と取りはずし可能に固着する内接管５１（２）とからなるものである。
引掛けプラグを形成するもの１０（２）は、図２−１−１乃至図２−１−５に示すように、わん状合成樹脂箱の側壁１１（２）と底壁１２（２）により形成されている。引掛けプラグを形成するもの１０（２）は、底壁１２（２）には、図２−１−３乃至図２−１−５に示すように、図上左側及び右側に対向するように、それぞれ、螺孔１０３１（２）と有底孔１０３２（２）とを設けた１対の台座１０５（２）が立設されると共に、後述するように、１対の第１柱１０７１（２）、１対の第２柱１０７２（２）、１対の第３柱１０７３（２）及び１対の立壁１５（２）が立設されている。
各台座１０５（２）は、引掛け爪１０１（２）を立てた金属製爪板１０２（２）を、爪板１０２（２）の貫孔１０３（２）に挿入したねじ１０４（２）の螺入により取りはずし可能に固着している。また、引出線（図示しない）に圧着した圧着端子（図示しない）の止めねじ１０８（２）を爪板１０２（２）の螺孔１０９（２）にねじ入れし直下の有底孔１０３２（２）に突出できるようにしている。
また、底壁１２（２）に立設した各第１柱１０７１（２）は、コード通し穴１３（２）から引き出された前記１対のコード引出線に圧着した各圧着端子を立壁１５（２）を介して爪板１０２（２）の止めねじ１０８（２）に案内するために設けられ、各第２柱１０７２（２）は、前記圧着端子を、止めねじ１０８（２）にねじ止めするために設けられ、各第３柱１０７３（２）は、各爪板１０２（２）に立てた引掛け爪１０１（２）の立設を補うものとして設けられる。
引掛けシーリング２０（２）を把手３０の下部に取りはずし可能に固着できるように一体的に形成する下部一体成形物６０（４）は、把手３０の下部に内嵌してねじ６２１（４）のねじ入れにより把手３０と取りはずし可能に固着する内接管６２（４）と蓋状物６１（４）とからなる。蓋状物６１（４）は、内接管６２（４）に結合すると共に、引掛けシーリング２０（２）に設けられている１対のねじ通し孔２２（２）に挿入した１対のねじ６１１（４）を螺孔６１２（４）に挿入して螺着することにより引掛けシーリング２０（２）を取りはずし可能に固着すると共に、引掛けシーリング２０（２）の開口部２１（２）をコード通し穴６１０（４）及びねじ６１１（４）の孔２２（２）を除いて蓋閉めできるようにするものである。
本発明器具の使用法は、実施例１と同様であるので、詳細説明は省略する。
【実施例３】
【００１１】
本発明器具の実施例３が図３−１−１、図３−１−２及び図３−１−３に示されている。
各図では、公知の配線の図示が省略されている。
本発明実施例の引掛けプラグ１０を把手３０の上部に一体的に形成する上部一体成形物５０は、実施例１の上部一体成形物５０と同一であるので、詳細説明は省略する。
引掛けシーリング２０（２）を把手３０の下部に取りはずし可能に固着できるように一体的に形成する下部成形物６０（５）は、把手３０の下部に内嵌してねじ６２１（５）のねじ入れにより把手３０と取りはずし可能に固着する内接管６２（５）と、内接管６２（５）に結合する蓋状物６１（５）とからなる。蓋状物６１（５）は、引掛けシーリング２０（２）に設けられている１対のねじ通し孔２２（２）に挿入する１対のねじ６１１（５）を蓋状物の螺孔６１２（５）に挿入してナット６１１（５）により螺着することにより引掛けシーリング２０（２）を取りはずし可能に固着して、引掛けシーリング２０（２）の開口部２１（２）をコード通し穴６１０（５）及びねじ６１１（５）の孔２２（２）を除いて蓋閉めできるようにするものである。
本発明器具の使用法は、実施例１及び実施例２と同様であるので、詳細説明は省略する。
【実施例４】
【００１２】
本発明器具の実施例４が図４−１−１に示されている。
実施例４の本発明器具は、一体成形物１のものを示すもので、以下、一体成形物１について述べる。
本発明器具の図４−１−１の実施例のものは、筒状の把手３０Ｂと、把手３０Ｂの上端に結合する引掛けプラグを形成するもの１０と、把手３０Ｂの下端に、結合する蓋状物６１（１）とからなる一体成形物１である。一体成形物１の引掛けプラグを形成するもの１０は、実施例１の引掛けプラグを形成するもの１０と同一であるので、詳細説明は省略する。蓋状物６１（１）は、実施例１の蓋状物６１（１）と同一であるので、以下の詳細説明は省略する。
【実施例５】
【００１３】
本発明器具の図５−１−１の実施例のものは、筒状の把手３０Ｂと、把手３０Ｂの上端に結合する引掛けプラグを形成するもの１０と、把手３０Ｂの下端に、結合する蓋状物６１（４）とからなる一体成形物２である。一体成形物２の引掛けプラグを形成するもの１０は、実施例１の引掛けプラグを形成するもの１０と同一であるので、詳細説明は省略する。蓋状物６１（４）は、実施例２の蓋状物６１（４）と同一であるので、以下の詳細説明は省略する。
【実施例６】
【００１４】
本発明器具の図６−１−１の実施例のものは、筒状の把手３０Ｂと、把手３０Ｂの上端に結合する引掛けプラグを形成するもの１０と、把手３０Ｂの下端に、結合する蓋状物６１（５）とからなる一体成形物３である。一体成形物３の引掛けプラグを形成するもの１０は、実施例１の引掛けプラグを形成するもの１０と同一であるので、詳細説明は省略する。蓋状物６１（５）は、実施例３の蓋状物６１（５）と同一であるので、以下の詳細説明は省略する。
【実施例７】
【００１５】
本発明器具の図７−１−１の実施例のものは、筒状の把手３０Ｂと、把手３０Ｂの上端に結合する引掛けプラグを形成するもの１０（２）と、把手３０Ｂの下端に、結合する蓋状物６１（４）とからなる一体成形物４である。一体成形物４の引掛けプラグを形成するもの１０（２）は、実施例２の引掛けプラグを形成するもの１０（２）と同一であるので、詳細説明は省略する。蓋状物６１（４）は、実施例２の蓋状物６１（４）と同一であるので、以下の詳細説明は省略する。
【実施例８】
【００１６】
本発明器具の図８−１−１の実施例のものは、筒状の把手３０Ｂと、把手３０Ｂの上端に結合する引掛けプラグを形成するもの１０（２）と、把手３０Ｂの下端に、結合する蓋状物６１（５）とからなる一体成形物５である。一体成形物５の引掛けプラグを形成するもの１０（２）は、実施例２の引掛けプラグを形成するもの１０（２）と同一であるので、詳細説明は省略する。蓋状物６１（５）は、実施例３の蓋状物６１（５）と同一であるので、以下の詳細説明は省略する。
【実施例９】
【００１７】
本発明器具の図９−１−１の実施例のものは、筒状の把手３０Ｂと、把手３０Ｂの上端に結合する引掛けプラグを形成するもの１０（２）と、把手３０Ｂの下端に、結合する蓋状物６１（１）とからなる一体成形物６である。一体成形物６の引掛けプラグを形成するもの１０（２）は、実施例２の引掛けプラグを形成するもの１０（２）と同一であるので、詳細説明は省略する。蓋状物６１（１）は、実施例１の蓋状物６１（１）と同一であるので、以下の詳細説明は省略する。
【産業上の利用可能性】
【００１８】
本発明器具は、構造簡単、小型軽量、製作容易で安価に量産できる。
【符号の説明】
【００１９】
１０、１０（２）            引掛けプラグを形成するもの
１１１                      短い側壁
１１２                      長い側壁
１２、１２（２）            底壁
１３、１３（２）            コード通し穴
１０１、１０１（２）        引掛け爪
１０２、１０２（２）        爪板
１０３、１０３（２）        爪板の貫孔
１０９、１０９（２）        爪板の螺孔
１０３１、１０３１（２）    台座の螺孔
１０３２、１０３２（２）    台座の有底孔
１０５、１０５（２）        台座
１０７１、１０７１（２）    第１柱
１０７２、１０７２（２）    第２柱
１０７３（２）              第３柱
２０（１）、２０（２）      引掛けシーリング
２１（１）、２１（２）      引掛けシーリングの開口部
２２（１）、２２（２）      引掛けシーリングのねじ通し孔
３０、３０Ｂ                把手
５０、５０（２）            上部一体成形物
６０（１）、６０（２）、６０（３）、６０（４）、６０（５）  下部一体成形物
１、２、３、４、５、６      一体成形物
６１（１）、６１（２）、６１（３）、６１（４）、６１（５）  蓋状物
６２（１）、６２（２）、６２（３）、６２（４）、６２（５）  内接管
６１０１（２）、６１０１（３）、６１０１（４）              蓋部
６１０２（２）、６１０２（３）              肉盛り部
６１０３（２）、６１０３（３）              切欠き
【手続補正２】
【補正対象書類名】特許請求の範囲
【補正対象項目名】全文
【補正方法】変更
【補正の内容】
【特許請求の範囲】
【請求項１】
引掛けプラグを形成するものと、前記引掛けプラグを形成するものの底壁のコード通し穴の外周面に結合した内接管とからなる上部一体成形物と、前記内接管と同一の内接管を結合した蓋状物であって、コード通し穴と引掛けシーリングの１対のねじ通し孔に連通できるようにしたねじ孔を設けたものからなる下部一体成形物と、天井直付け用シーリングライトを天井吊り下げペンダントライトとして使用するに必要な長さの筒状把手であって、前記上部一体成形物の内接管及び前記下部一体成形物の内接管にそれぞれ外嵌してねじ止めにより固着できるようにしたものと、前記下部一体成形物の蓋状物にねじ止めされて固着した前記引掛けシーリングと、前記引掛けプラグを形成したものから前記引掛けシーリングまでを電気接続できるようにしたコードとからなり、前記把手下端を手で握って上げ、天井に設置された配線器具に、前記上部一体成形物の引掛け爪を引掛け、前記引掛けシーリングの引掛け穴に前記天井直付け用シーリングライトを引掛けて使用することを特徴としたシーリングライトをペンダントライトに使用する器具。
【請求項２】
引掛けプラグを形成するものと、前記引掛けプラグを形成するものの底壁のコード通し穴の外周面に、上端を結合した筒状把手であって、天井直付け用シーリングライトを天井吊り下げペンダントライトとして使用するに必要な長さのものと、前記把手の下端に結合した蓋状物であって、コード通し穴と引掛けシーリングの１対のねじ通し孔に連通できるようにしたねじ孔を設けたものとの一体成形物と、前記一体成形物の蓋状物にねじ止めされて固着した前記引掛けシーリングと、前記引掛けプラグを形成したものから前記引掛けシーリングまでを電気接続できるようにしたコードとからなり、前記把手下端を手で握って上げ、天井に設置された配線器具に、前記一体成形物上部の引掛け爪を引掛け、前記引掛けシーリングの引掛け穴に前記天井直付け用シーリングライトを引掛けて使用することを特徴としたシーリングライトをペンダントライトに使用する器具。
【請求項３】
引掛けプラグを形成するものが、１対の短い側壁と１対の長い側壁とコード通し穴を設けた底壁とからなる角形合成樹脂箱内に、それぞれ対向する前記２つの側壁の角に沿って１対の引掛け爪を立設すると共に、コード引出線を止着できるようにする止めねじの螺孔と、後記台座と固着するための貫孔とを設けた１対の金属製爪板と、前記各爪板をのせて前記各爪板の貫孔に螺入する固着ねじにより前記各爪板を固着することができるようにした１対の台座であって、前記各台座が対向して前記底壁から立設したものと、前記コード引出線を前記コード通し穴から案内するため、対向して前記底壁から立設した１対の第１柱と、前記コード引出線を前記止めねじに止着するため、対向して前記底壁から立設した１対の第２柱とを備えていることを特徴とした請求項１又は２記載のシーリングライトをペンダントライトに使用するための器具。
【請求項４】
引掛けプラグを形成するものが、側壁と底壁により形成されたわん状箱内に、１対の引掛け爪を立てると共に、コード引出線を止着できるようにする止めねじの螺孔と、後記台座と固着するための貫孔とを設けた１対の金属製爪板と、前記各爪板をのせて前記各爪板の前記貫孔に螺入した固着ねじにより、前記各爪板を固着することができるようにした１対の台座であって、前記各台座が対向して前記底壁から立設したものと、前記コード引出線を前記コード通し穴から案内するため、対向して前記底壁から立設した１対の第１柱と、前記コード引出線を前記止めねじに止着するため、対向して前記底壁から立設した１対の第２柱と、前記各引掛け爪の立ち上りを補うため対向して立設した１対の第３柱とを備えていることを特徴とした請求項１又は２記載のシーリングライトをペンダントライトに使用するための器具。
【請求項５】
前記下部一体成形物の蓋状物が、蓋部と肉盛り部からなり、前記蓋部は、前記引掛けシーリングの開口面を前記コード通し穴及び前記１対のねじ通し孔を除いて閉口できるように設けられ、前記肉盛り部は、前記蓋部の上に盛り上げて前記内接管と結合すると共に、前記蓋部を介してねじ又はボルトがナットと螺着できるように、前記肉盛り部の一部を切り欠いた１対の切欠きを形成して、前記引掛けシーリングを固着できるようにすることを特徴とした請求項１記載のシーリングライトをペンダントライトに使用するための器具。